(57)【要約】【課題】  少スペース規模で案内所の経営効率を高め、かつ客の案内所での待機時間を短縮し、また客は、自主的に遊興の相手を選択すると共に入店前に料金を事前に精算し、店から予測外の料金請求もなく安心して遊べる、店舗紹介及び案内システムを提供する。【解決手段】  案内所１は、データベースＤＢ、撮影手段１ｅ、検索手段１ｆ、通信手段１ｇ、表示手段１ｃ、会話手段１０、代金決済手段１ｈ、案内図を客の携帯端末に表示するための、接続手段１ｊとを具備し、店２、３、４…は、少なくとも、表示手段２０ｄ、３０ｄ、４０ｄ…、撮影手段２０ａ、３０ａ、４０ａ…、通信手段、会話手段２０ｂ、３０ｂ、４０ｂ…及び２０ｃ、３０ｃ、４０ｃ…、入金確認手段を具備し、遊興希望客は携帯端末を保持していることを特徴とする。【選択図】図１
2005044354.tif 000002
【特許請求の範囲】
【請求項１】
遊興を希望する来所客の希望条件に適合する遊興店舗を検索し、その紹介と案内を行う店舗紹介及び案内システムであって、
紹介と案内を行う案内所は、
案内所に来所した客に、紹介と案内等を行うことをを契約した、遊興店舗の店舗情報を格納した、データベースと、
前記来所客の顔画像を撮像する、撮影手段と、
前記データベースの店舗情報から来所客の希望条件に適合すると思われる店舗を検索する、検索手段と、
前記撮影手段により撮像した来所客の顔画像を、前記検索手段で検索した、１ないし複数の契約済み遊興店舗に通信ネットワークを介して配信する、通信手段と、
配信先の契約済み遊興店舗から返信される店舗画像情報を表示する表示手段と、
前記表示手段に表示される店員と表示画面を見ながら会話可能な会話手段と、
来所客が遊興費として前払いする代金を受け取り、遊興する契約済み遊興店舗が設定した金融機関の入金口座に通信ネットワークを介して払い込む、代金決済手段と、
紹介する契約済み遊興店舗への道順を示す案内図を、来所客が保持する携帯端末の表示画面に表示するための、接続手段と、
を具備し、
遊興希望客の紹介と案内を案内所に依頼した契約済み遊興店舗は、
少なくとも、案内所から配信される遊興希望客の顔画像を表示する、表示手段と、
店舗内外と店員の顔画像等を撮像する、撮影手段と、
表示された遊興希望客の来店についての諾否及び店舗内外の静止画像と店員の顔画像等を含む店舗情報を案内所に送信する、通信手段と、
表示された遊興希望客と表示画面を見ながら会話可能な会話手段と、
遊興希望客の前払いした遊興費が案内所から入金されたことを確認する、確認手段と、
を具備し、
遊興希望客は携帯端末を保持していることを特徴とする、店舗紹介及び案内システム。
【請求項２】
前記データベースに格納されている店舗情報には、店舗内外の静止画像や店員の顔画像、名前、スリーサイズ、趣味、性格、血液型、特技の他、店舗名、住所、電話番号、遊興料金及び案内所からの道順を示す案内図等が表示されていることを特徴とする、請求項１記載の店舗紹介及び案内システム。
【請求項３】
前記案内所の撮影手段が、自動制御可能なピンホールカメラであることを特徴とする、請求項１ないし請求項２記載の店舗紹介及び案内システム。
【請求項４】
前記遊興店舗の撮影手段が、コンピュータに接続された、デジタルカメラ又はビデオカメラであることを特徴とする、請求項１ないし請求項３記載の店舗紹介及び案内システム。
【請求項５】
前記通信ットワークが、インターネット又はＬＡＮであることを特徴とする、請求項１ないし請求項４記載の店舗紹介及び案内システム。
【請求項６】
前記会話手段が、通信ネットワークを介して行われる、カメラ、スピーカ及びマイク付きのコンピュータ電話であることを特徴とする、請求項１ないし請求項５記載の店舗紹介及び案内システム。
【請求項７】
前記代金決済手段が、通信ネットワークを介して行われる電子マネー振替え決済であることを特徴とする、請求項１ないし請求項６記載の店舗紹介及び案内システム。
【発明の詳細な説明】
【技術分野】
【０００１】  本発明は、店舗紹介及び案内システムに係り、さらに詳しくは、遊興を希望する来所客の希望条件に適合する遊興店舗を検索し、その紹介と案内を行う店舗紹介及び案内システムに関する。
【背景技術】
【０００２】  従来より、大都市の繁華街又は観光温泉地等では、各種の風俗店例えば、ラウンジ、キャバクラ、ホストクラブ、ファッションヘルス、セクキャバ、ソープランド、イメージクラブ又はデリバリクラブ等と称される多数の遊興店舗が営業している。【０００３】  これらの風俗店は、迷惑防止条例等によって、店舗前の通行客に遊興を強く勧誘することは禁止され、また遊興希望客が店舗前の呼び込み人に誘われて入店し、飲食、遊興後の高額な料金請求に驚き、その支払いについて客と店側が口論するいわゆる、「ボッタクリ」の被害が続出している。【０００４】  そのために、店は客の紹介と案内等を紹介料が無料の案内所と契約し、案内所は契約店舗の店員の顔写真等をパネルに貼付し、これを壁面等に掲示して宣伝し、パネルの大きさに応じた所定の料金を、広告料として契約店舗から受け取っている。また客は「ボッタクリ」の被害等に遭わないために案内所を訪ね、案内所の壁面等のパネルに貼付された女性又は男性店員の顔写真、料金システム等を見て案内所のスタッフと相談し、遊興したい好みの女性又は男性店員が見つかれば、スタッフは客をその店まで同伴、案内している。
【発明の開示】
【発明が解決しようとする課題】
【０００５】  しかしながら、近年、特に大都市の繁華街等では風俗店の増加に伴い、案内所が乱立し、過当競争となっており、客を目的の店に案内するのは口頭だけではサービスが悪いとされ、また客が案内所を出た後に変心し、他店に入店するのを防止するため、上述のように、スタッフは客を目的の店まで同伴、案内している。そのため来所している他の客は、案内所でスタッフの帰還を待たなければならない事態も起きるので、案内所は多くのスタッフが必要となり、その人件費が嵩み、さらに案内所は契約した店と店の店員の名前、顔写真やポーズ写真、スリーサイズ、料金システム等をパネルに貼付して、案内所の壁面等に装着するので、広いスペースを必要とするので店の保証金、月毎の家賃等が高額となり、案内所の経営も困難となってきている。【０００６】  本発明は、上記、従来技術の諸問題に鑑み、少人数のスタッフで、また少スペースの店舗規模で案内所の経営を効率よく行うと共に、遊興希望客が案内所での待機時間をできるだけ少なくし、遊興希望客が自主的に遊興の相手を選択し、また遊興店舗に行く前に遊興料金も事前に精算し、初めて遊ぶ店でも「ボッタクラレル」心配もなく安心して遊興できる、店舗紹介及び案内システムを提供することを目的としている。
【課題を解決するための手段】
【０００７】  そのための本発明に係る第１の発明は、遊興を希望する来所客の希望条件に適合する遊興店舗を検索し、その紹介と案内を行う店舗紹介及び案内システムであって、紹介と案内を行う案内所は、案内所に来所した客に、紹介と案内等を行うことをを契約した、遊興店舗の店舗情報を格納した、データベースと、前記来所客の顔画像を撮像する、撮影手段と、前記データベースの店舗情報から来所客の希望条件に適合すると思われる店舗を検索する、検索手段と、前記撮影手段により撮像した来所客の顔画像を、前記検索手段で検索した、１ないし複数の契約済み遊興店舗に通信ネットワークを介して配信する、通信手段と、配信先の契約済み遊興店舗から返信される店舗画像情報を表示する表示手段と、前記表示手段に表示される店員と表示画面を見ながら会話可能な会話手段と、来所客が遊興費として前払いする代金を受け取り、遊興する契約済み遊興店舗が設定した金融機関の入金口座に通信ネットワークを介して払い込む、代金決済手段と、紹介する契約済み遊興店舗への道順を示す案内図を、来所客が保持する携帯端末の表示画面に表示するための、接続手段と、を具備し、遊興希望客の紹介と案内を案内所に依頼した契約済み遊興店舗は、少なくとも、案内所から配信される遊興希望客の顔画像を表示する、表示手段と、店舗内外と店員の顔画像等を撮像する、撮影手段と、表示された遊興希望客の来店についての諾否及び店舗内外の静止画像と店員の顔画像等を含む店舗情報を案内所に送信する、通信手段と、表示された遊興希望客と表示画面を見ながら会話可能な会話手段と、遊興希望客の前払いした遊興費が案内所から入金されたことを確認する、確認手段と、を具備し、遊興希望客は携帯端末を保持していることを特徴としている。【０００８】  第２の発明は、請求項１記載の第１の発明において、前記データベースに格納されている店舗情報には、店舗内外の静止画像や店員の顔画像、名前、スリーサイズ、趣味、性格、血液型、特技の他、店舗名、住所、電話番号、遊興料金及び案内所からの道順を示す案内図等が表示されていることを特徴としている。【０００９】  第３の発明は、請求項１ないし請求項２記載の発明において、前記案内所の撮影手段が、自動制御可能なピンホールカメラであることを特徴としている。【００１０】  第４の発明は、請求項１ないし請求項３記載の発明において、前記遊興店舗の撮影手段が、コンピュータに接続された、デジタルカメラ又はビデオカメラであることを特徴としている。【００１１】  第５の発明は、請求項１ないし請求項４記載の発明において、前記通信ネットワークが、インターネット又はＬＡＮであることを特徴としている。【００１２】  第６の発明は、請求項１ないし請求項５記載の発明において、前記会話手段が、通信ネットワークを介して行われる、カメラ、スピーカ及びマイク付きのコンピュータ電話であることを特徴としている。【００１３】  第７の発明は、請求項１ないし請求項６記載の発明において、前記代金決済手段が、通信ネットワークを介して行われる電子マネー振替え決済であることを特徴としている。
【発明の効果】
【００１４】  本発明に係る、店舗紹介及び案内システムは、上記の構成になるから以下の効果を奏する。即ち、第１及び第２の発明によれば、案内所はホストコンピュータに具備されたデータベース、撮影手段、検索手段、通信手段、表示手段、会話手段、代金決済手段及び接続手段を駆動させ、通信ネットワークを介して遊興を希望する来所客（以下、客という）の希望条件に適合する遊興店舗（以下、店という）を検索するので、客は自己の予算内で好みのコンパニオン又はホスト（店の店員）と限られた時間内で安心かつ楽しく遊ぶことができるので、案内所及び店のリピーターとなる確率が高い。また店の店員は案内所から配信される来店希望客の顔画像を、ディスプレイ等の表示手段でチェックできるので、なんらかの理由で来店を希望しない店員は、事前に店の通信手段で案内所に連絡し、これを断ることができるので、店の店員はもちろん店側にも好都合であり、さらに客は案内所に遊興費を前払いし、案内所がこれを店の入金口座に払い込んだのを確認して客を入店させるので安心してサービスすることができる。また客は、自己が保持する携帯電話等のディスプレイに、目的店までの道順を示す案内図が表示されるので、途中で迷ったりすることなく容易に店に到達できる。【００１５】  第３の発明によれば、案内所の撮影手段が、自動制御可能なピンホールカメラなので、来店客は、顔画像を撮影されていることを気付かないで、違和感や不快感なく案内所のスタッフに自己の希望条件を述べるので、成約がスムースにできる。【００１６】  第４ないし第６の発明によれば、客は写真ではなくカメラ、スピーカ及びマイク付きコンピュータ電話で顔画像の表情を見ながらリアルタイムで会話し、好みのコンパニオン又はホストを選択するので効率よく成約できる。【００１７】  第７の発明によれば、代金決済手段が、通信ネットワークを介して行われる電子マネー振替え決済であるので、深夜営業及び休日営業する店には好適である。
【発明を実施するための最良の形態】
【００１８】  以下、本発明に係る、店舗紹介及び案内システムの好適な実施形態について図面を参照しながら説明する。図１は、本発明に係る店舗紹介及び案内システムの構成を示すブロック図で、図２はその動作を示すフローチャート、図３は客の携帯電話に表示された案内図の正面図である。【００１９】  図１において、１は案内所で、２、３、４…は、案内所１に来所した携帯電話等を保持する客Ｋの紹介と案内を依頼し、案内所１と契約した風俗店等で、５、６、７…は金融機関で、それぞれ通信ネットワークＮ及びＮ’を介してリンクされている。【００２０】  案内所１は、演算処理手段１ａ、入力手段１ｂ、表示手段１ｃ及びマウス１ｄを含む周辺機器等通常の機能を具備するホストコンピュータＰＣに、客Ｋを撮影するピンホールカメラ１ｅ、契約した店２、３、４…の店内外の静止画像、店員の名前（源氏名）、顔写真、スリーサイズ、趣味、性格、血液型及び特技等と、案内所１からの道順を示す案内図等の店舗情報を格納したデータベースＤＢ、客Ｋの希望条件に適合すると思われる店及びコンパニオン又はホストを検索する検索手段１ｆ、ピンホールカメラ１ｅで撮像した客の顔画像を、通信ネットワークＮ及びＮ’を介して配信する通信手段１ｇ、客Ｋが案内所１に遊興費等として前払いした代金を電子マネーとして通信ネットワークＮを介し振替え決済する代金決済手段１ｈ及び通信ネットワークＮ’を介し、来所客Ｋが契約店２、３、４…の店員とリアルタイムに会話できるコンピュータ電話１０を備え、カメラ１０ａ、マイク１０ｂ、スピーカ１０ｃが接続されている。１０ｄはディスプレイである。【００２１】  店２、３、４…は、それぞれ少なくとも、店員の顔画像等を撮像するカメラ２０ａ、３０ａ、４０ａ…、マイク２０ｂ、３０ｂ、４０ｂ…、スピーカ２０ｃ、３０ｃ、４０ｃ…が接続され、案内所１に通信ネットワークＮ’を介し、店員の顔画像等の店舗情報を送信する通信手段、案内所１からの入金確認手段を備えたコンピュータ電話２０、３０、４０…を保有している。２０ｄ、３０ｄ、４０ｄは…ディスプレイである。【００２２】  案内所１に来所し、本システムを利用可能な客Ｋは、少なくとも携帯電話又はＰＤＡを保持している。【００２３】  次に本システムの動作を、図２を参照して説明する。案内所１に客Ｋが来所（Ｓ１）すると、案内所１の玄関近傍の目立たない位置に設置されたピンホールカメラ１ｅでその顔画像を撮像（Ｓ２）すると共に、案内所１のスタッフにより客Ｋが好むコンパニオン又はホスト（以下、店員という）の容貌や予算を聴取（Ｓ３）し、ホストコンピュータ（以下パソコンという）ＰＣの検索手段１ｆで、客Ｋの希望条件に適合する１〜複数の店員を検索（Ｓ４）し、その店員がいる店２、３、４…に通信ネットワークＮを介して客Ｋの顔画像を送信（Ｓ５）する。【００２４】  客Ｋの顔画像を受信（Ｓ６）した店２、３、４…の店員は、これをディスプレイ２０ｄ、３０ｄ、４０ｄ…で閲覧し、問題がなければコンピュータ電話２０、３０、４０…の通信手段で来店を歓迎する旨を案内所１に返信（Ｓ７）する。もし客Ｋが店員の知人又は友人で来店を忌避したいとき又は指名された店員が休暇で欠勤しているなど、店２、３、４���に不都合のときは、店長がコンピュータ電話２０、３０、４０…の通信手段で来店を断る旨を案内所１に返信（Ｓ７’）する。【００２５】  案内所１の客Ｋは、コンピュータ電話１０で歓迎する旨の返信があった店員、例えば店２のカメラ２０ａで撮像された、Ａ子の顔画像をディスプレイ１０ｄで見ながら、またマイク２０ｂで録られたＡ子の音声を聞きながら、マイク１０ｂ、スピーカ１０ｃで直接会話して遊興するかどうかを決定（Ｓ８）する。もし好みでないときは、他の店３のＢ子の画像をディスプレイ１０ｄに表示してもらい、直接会話して遊興するかどうかを検討する。【００２６】  遊興する店と店員が決まったとき、客Ｋは遊興費等を案内所１に支払い、案内所１は、その中から所定の情報提供料及び成約手数料を差し引き、直ちに代金決済手段１ｈによって、遊興する店が開設しているインターネット金融機関の取引口座に送金（Ｓ９）し、成約した店２にその旨を連絡すれば、店はコンピュータ電話２０の確認手段で案内所１からの入金を確認（Ｓ１０）する。【００２７】  案内所１のスタッフは、成約したＡ子の店２の案内図をデータベースＤＢから取り出してパソコンＰＣのディスプレイ１ｃに表示し、これを客Ｋの携帯電話にコネクター１ｊを差込んで送り込む（Ｓ１１）。【００２８】  客Ｋは、携帯電話のディスプレイＫｄに表示された案内所１から店２への道順を示す案内図Ｍ（図３、参照）に従って容易に目的の店２に到達（Ｓ１２）して、本発明に係る店舗紹介及び案内システムの動作は終了する。
【産業上の利用可能性】
【００２９】  案内所１から遊興希望客Ｋへの情報提供手段として使用されるパソコンＰＣ、コンピュータ電話１０、ピンホールカメラ１ｅ、ビデオカメラ１０ａ及び店２、３、４…が使用するコンピュータ電話２０、３０、４０…、ビデオカメラ２０ａ、３０ａ、４０ａ…、マイク２０ｂ、３０ｂ、４０ｂ…、スピーカ２０ｃ、３０ｃ、４０ｃ等々のＩＴ機器関連産業のさらなる需要とインターネット金融機関の興隆が期待される。
【図面の簡単な説明】
【００３０】
【図１】本発明に係る、店舗紹介及び案内システムの構成を示すブロック図である。
【図２】同その動作を示すフローチャートである。
【図３】客Ｋの携帯電話に表示された案内図の正面図である。
【符号の説明】
【００３１】１                            案内所
２、３、４…                  店
５、６、７…                  金融機関
Ｋ                            客
Ｋｄ                          携帯電話のディスプレイ
Ｍ                            案内図
１ａ                          演算処理手段
１ｂ                          入力手段
１ｃ                          表示手段
１ｄ                          マウス
１ｅ                          ピンホールカメラ
１ｆ                          検索手段
１ｇ                          通信手段
１ｈ                          代金決済手段
１０                          コンピュータ電話
１０ａ                        カメラ
１０ｂ                        マイク
１０ｃ                        スピーカ
１０ｄ                        ディスプレイ
ＤＢ                          データベース
２０、３０、４０…            コンピュータ電話
２０ａ、３０ａ、４０ａ…      カメラ
２０ｂ、３０ｂ、４０ｂ…      マイク
２０ｃ、３０ｃ、４０ｃ…      スピーカ
２０ｄ、３０ｄ、４０ｄ…      ディスプレイ
Ｎ、Ｎ’                      通信ネットワーク
【図１】
2005044354.tif 000003
【図２】
2005044354.tif 000004
【図３】
2005044354.tif 000005